(57)【特許請求の範囲】
【請求項１】
ユーザとともに使用場所が移動され得る移動受信装置であって、
当該移動受信装置の現在の位置を表す位置情報を取得する位置取得手段と、
緊急警報放送が関連する警報地域を特定する地域情報を取得する警報地域取得手段と、
前記位置取得手段により取得された位置情報と、前記警報地域取得手段により取得された地域情報とを比較し、その比較結果を基に緊急警報放送をユーザに報知すべきか否かを判断する比較手段と、
前記比較手段により緊急警報放送をユーザに報知すべきと判断された場合に、緊急警報放送に基づいてユーザに警告情報を報知する警告手段とを備え、
前記比較手段は、前記位置取得手段により取得された位置情報と、前記警報地域取得手段により取得された地域情報とを比較して移動受信装置の位置と警報地域との位置関係を判定し、
前記警告手段は、前記比較手段により判定された移動受信装置の位置と警報地域との位置関係に応じて警告レベルが高くなるように警告情報を変更し、
前記警告手段は、第１の警告レベルの警告情報と、前記第１の警告レベルよりレベルが低い第２の警告レベルの警告情報とをユーザに通知する警告通知手段を含み、
前記警告通知手段は、前記比較手段により移動受信装置の位置が警報地域へ近づいていると判断された場合、前記第１の警告レベルの警告用電源状態へ切り替えられて前記第１の警告レベルの警告情報をユーザに通知し、前記比較手段によりユーザの現在位置が警報地域へ近づいていないと判断された場合、前記第２の警告レベルの警告用電源状態へ切り替えられて前記第２の警告レベルの警告情報をユーザに通知し、
前記第２の警告レベルの警告用電源状態での電力消費は、前記第１の警告レベルの警告用電源状態での電力消費より低いことを特徴とする移動受信装置。
【請求項２】
前記警告手段は、前記比較手段により緊急警報放送をユーザに報知すべきと判断された場合に、緊急警報放送に基づいて、当該移動受信装置の現在の位置と前記警報地域取得手段により取得された地域情報により特定される警報地域との間の距離の情報とともにユーザに警告情報を報知することを特徴とする請求項１記載の移動受信装置。
【請求項３】
前記警告手段は、
緊急警報放送による放送映像を表示する表示手段と、
緊急警報放送から放送映像を生成して表示手段へ出力する生成手段とを含み、
前記警告手段は、前記比較手段により当該移動受信装置の位置が警報地域に含まれると判断された場合に、前記警報情報生成手段及び前記表示手段を用いて緊急警報放送の映像を表示させることを特徴とする請求項１又は２に記載の移動受信装置。
【請求項４】
ユーザとともに使用場所が移動され得る移動受信装置を用いて緊急警報放送を受信する受信方法であって、
前記移動受信装置の位置取得手段が、当該移動受信装置の現在の位置を表す位置情報を取得する位置取得ステップと、
前記移動受信装置の警報地域取得手段が、緊急警報放送が関連する警報地域を特定する地域情報を取得する警報地域取得ステップと、
前記移動受信装置の比較手段が、前記位置取得手段により取得された位置情報と、前記警報地域取得手段により取得された地域情報とを比較し、その比較結果を基に緊急警報放送をユーザに報知すべきか否かを判断する比較ステップと、
前記移動受信装置の警告手段が、前記比較手段により緊急警報放送をユーザに報知すべきと判断された場合に、緊急警報放送に基づいてユーザに警告情報を報知する警告ステップとを含み、
前記比較ステップにおいて、前記比較手段は、前記位置取得手段により取得された位置情報と、前記警報地域取得手段により取得された地域情報とを比較して移動受信装置の位置と警報地域との位置関係を判定し、
前記警告ステップにおいて、前記警告手段は、前記比較手段により判定された移動受信装置の位置と警報地域との位置関係に応じて警告レベルが高くなるように警告情報を変更し、
前記警告ステップは、第１の警告レベルの警告情報と、前記第１の警告レベルよりレベルが低い第２の警告レベルの警告情報とをユーザに通知する警告通知ステップを含み、
前記警告通知ステップは、前記比較手段により移動受信装置の位置が警報地域へ近づいていると判断された場合、前記第１の警告レベルの警告用電源状態へ切り替えられて前記第１の警告レベルの警告情報をユーザに通知し、前記比較手段によりユーザの現在位置が警報地域へ近づいていないと判断された場合、前記第２の警告レベルの警告用電源状態へ切り替えられて前記第２の警告レベルの警告情報をユーザに通知するステップを含み、
前記第２の警告レベルの警告用電源状態での電力消費は、前記第１の警告レベルの警告用電源状態での電力消費より低いことを特徴とする受信方法。
【発明の詳細な説明】
【技術分野】
【０００１】
本発明は、ユーザとともに使用場所が移動され得る移動受信装置、該移動受信装置の受信方法及び受信プログラムに関し、例えば、移動しながらデジタル放送を受信可能な携帯電話、携帯情報端末、ノート型コンピュータ、車載用端末（例えば、カーナビゲーションシステム）等の受信装置に関するものである。
【背景技術】
【０００２】
近年、衛星及び地上波を用いたデジタル放送が実用化され、種々の情報が放送波に重畳されて送信されている。例えば、地震、津波等の災害が発生又は予測される時に災害の内容をユーザに通知するための緊急警報放送が行われている。
【０００３】
上記の緊急警報放送を受信するデジタル放送受信装置としては、例えば、特許文献１に開示されるデジタル放送受信装置がある。このデジタル放送受信装置では、緊急警報放送を自動録画したり、録画したことを知らせるメッセージを画面に表示することが行われている。この場合、デジタル放送受信装置が固定して使用され、ユーザがデジタル放送受信装置のそばにいなかったり、就寝時や外出しているときに緊急警報放送が放送された場合でも、当該緊急警報放送の内容をユーザに提示することができる。
【０００４】
また、上記の緊急警報放送と同様に緊急防災情報をユーザに伝達する緊急防災情報伝達システムとして、例えば、特許文献２に記載される緊急防災情報伝達システムがある。この緊急防災情報伝達システムでは、通信衛星、専用線、気象衛星、文字放送、中波ラジオ、インターネット等の複数種類の伝達方法のうちの一の伝達方法を用い、防災地域情報が示している地域と予め設定されている地域とを比較し、この比較結果が一致した場合に他の防災情報が既にその地域に送信されていればその防災情報の送信が抑止され、不一致を示した場合にその防災情報の送信が行われる。この場合、防災対策等の重要な緊急情報を遅延及び欠損無く確実に受信し、必要な情報を必要としているユーザに迅速に通知することができる。
【０００５】
一方、２００６年にもモバイル向けに地上デジタル放送の１セグ放送（１セグメント放送）の開始が予定されており、移動しながらデジタル放送を受信することが可能となる。このような１セグ放送を受信可能な携帯電話等は、ユーザが常時持ち運ぶため、速報性に優れ、緊急警報放送をユーザに迅速に伝えることが期待されている。
【特許文献１】特開２００３−２５０１１２号公報
【特許文献２】特開２００１−７６２７６号公報
【発明の開示】
【発明が解決しようとする課題】
【０００６】
しかしながら、上記の緊急警報放送等を受信する受信装置は、所定位置に固定して使用されることを前提としているため、受信位置が移動し得る移動受信装置については何ら考慮されていない。すなわち、携帯電話等の移動受信装置では、ユーザの移動に伴いその位置が変化するため、緊急警報放送を単に受信して表示したのでは、ユーザの現在位置とは無関係な緊急警報放送をもユーザに提示する場合が発生し、不要な緊急警報放送をユーザに提示することとなる。
【０００７】
また、上記の移動受信装置は、通常、バッテリー駆動されるため、省電力化が要望されているが、デジタル放送の復調及び復号化処理の消費電力は一般に大きいため、不要な緊急警報放送を表示したのでは、バッテリーの消耗を早めてバッテリー切れになり、ユーザにとって真に必要な緊急警報放送すなわちユーザの現在位置に関係する緊急警報放送を提示することができなくなる。
【０００８】
本発明の目的は、移動受信装置の位置が移動する場合でも、ユーザが必要とする警告情報を的確にユーザに提示することができる移動受信装置、受信方法及び受信プログラムを提供することである。
【課題を解決するための手段】
【０００９】
本発明に係る移動受信装置は、ユーザとともに使用場所が移動され得る移動受信装置であって、当該移動受信装置の現在の位置を表す位置情報を取得する位置取得手段と、緊急警報放送が関連する警報地域を特定する地域情報を取得する警報地域取得手段と、前記位置取得手段により取得された位置情報と、前記警報地域取得手段により取得された地域情報とを比較し、その比較結果を基に緊急警報放送をユーザに報知すべきか否かを判断する比較手段と、前記比較手段により緊急警報放送をユーザに報知すべきと判断された場合に、緊急警報放送に基づいてユーザに警告情報を報知する警告手段とを備えるものである。
【００１０】
本発明に係る移動受信装置においては、位置取得手段により当該移動受信装置の現在の位置情報が取得され、警報地域取得手段により緊急警報放送が関連する警報地域を特定する地域情報が取得され、比較手段により位置情報と地域情報とが比較され、その比較結果を基に緊急警報放送をユーザに報知すべきか否かが判断され、緊急警報放送をユーザに報知すべきと判断された場合に、警告手段により緊急警報放送に基づいてユーザに警告情報が報知されるので、緊急警報放送による警報の対象となる警報地域に関係する位置に存在する移動受信装置すなわち警報地域に関係する位置にいるユーザのみに緊急警報放送に基づいた警告情報を提供することができ、移動受信装置の位置が移動する場合でも、ユーザが必要とする警告情報を的確にユーザに提示することができる。
【００１１】
前記移動受信装置は、前記比較手段により緊急警報放送をユーザに報知すべきと判断された場合に、前記位置取得手段、前記警報地域取得手段及び前記比較手段への電源供給が行われる第１の電源状態から、前記位置取得手段、前記警報地域取得手段及び前記比較手段に加えて前記警告手段へも電源供給が行われる第２の電源状態へ電源状態を切り替える電源制御手段をさらに備えることが好ましい。
【００１２】
この場合、緊急警報放送をユーザに報知すべきと判断されたときに、位置取得手段、警報地域取得手段及び比較手段への電源供給が行われる第１の電源状態から、位置取得手段、警報地域取得手段及び比較手段に加えて警告手段へも電源供給が行われる第２の電源状態へ電源状態が切り替えられるので、緊急警報放送をユーザに報知すべきと判断されるまでは、警告手段には電力供給が行われず、不要な電力消費を抑制することができる。この結果、移動受信装置の位置が移動する場合でも、電力を不要に消費することなく、ユーザが必要とする警告情報を的確にユーザに提示することができる。
【００１３】
前記電源制御手段は、前記比較手段により当該移動受信装置の位置が警報地域に含まれると判断された場合に、前記第１の電源状態から前記第２の電源状態へ電源状態を切り替え、前記警告手段は、前記比較手段により当該移動受信装置の位置が警報地域に含まれると判断された場合に、緊急警報放送に基づいてユーザに警告情報を報知することが好ましい。
【００１４】
この場合、移動受信装置の位置が警報地域に含まれると判断された場合に、第１の電源状態から第２の電源状態へ電源状態が切り替えられ、緊急警報放送に基づいてユーザに警告情報が報知されるので、警報地域内にいるユーザのみに警告情報を報知することができる。
【００１５】
前記警告手段は、緊急警報放送による放送映像を表示する表示手段と、緊急警報放送から放送映像を生成して表示手段へ出力する生成手段とを含み、前記警告手段は、前記比較手段により当該移動受信装置の位置が警報地域に含まれると判断された場合に、前記警報情報生成手段及び前記表示手段を用いて緊急警報放送の映像を表示させることが好ましい。
【００１６】
この場合、移動受信装置の位置が警報地域に含まれると判断された場合に、緊急警報放送から放送映像が生成されて表示手段に表示されるので、警報地域にいるユーザのみに緊急警報放送による映像を提供することができる。
【００１７】
前記警報地域取得手段は、デジタル放送を受信して緊急警報放送が行われていることを示す情報を抽出する受信手段と、緊急警報放送が関連する警報地域を特定する地域情報を抽出する抽出手段とを含むことが好ましい。
【００１８】
この場合、デジタル放送から緊急警報放送が行われていること及び緊急警報放送が関連する警報地域を特定する地域情報を取得することができ、デジタル放送受信回路を警報地域取得手段として共用することができる。
【００１９】
前記受信手段は、デジタル放送のＴＭＣＣ信号から緊急警報放送起動用フラグを検出し、前記電源制御手段は、前記受信手段が緊急警報放送起動用フラグを検出した場合、前記受信手段への電源供給が行われる第３の電源状態から前記第１の電源状態へ電源状態を切り替えることが好ましい。
【００２０】
この場合、デジタル放送のＴＭＣＣ信号から緊急警報放送起動用フラグを検出し、緊急警報放送起動用フラグを検出した場合に、受信手段への電源供給が行われる第３の電源状態から第１の電源状態へ電源状態を切り替えているので、緊急警報放送起動用フラグを検出してデジタル放送から緊急警報放送が行われていることが検出されるまでは、位置取得手段、抽出手段及び比較手段には電力供給が行われないので、電力消費を必要最小限に抑制することができる。
【００２１】
前記警報地域取得手段は、所定の通信網を介して送信され且つ緊急警報放送が行われていることを通知するための緊急警報放送通知から緊急警報放送が関連する警報地域を特定する地域情報を取得する通信手段を含むことが好ましい。
【００２２】
この場合、所定の通信網を介して送信され且つ緊急警報放送が行われていることを通知するための緊急警報放送通知から緊急警報放送が関連する警報地域を特定する地域情報を取得しているので、消費電力の大きいデジタル放送受信回路を用いることなく、地域情報を取得することができ、消費電力をより小さくすることができる。
【００２３】
前記比較手段は、前記位置取得手段により取得された位置情報と、前記警報地域取得手段により取得された地域情報とを比較して移動受信装置の位置と警報地域との位置関係を判定し、前記警告手段は、前記比較手段により判定された移動受信装置の位置と警報地域との位置関係に応じて警告レベルが高くなるように警告情報を変更することが好ましい。
【００２４】
この場合、移動受信装置の位置と警報地域との位置関係に応じて警告レベルが高くなるように警告情報を変更しているので、警報地域に対するユーザの現在位置に適した警告をユーザに提供することができる。
【００２５】
前記警告手段は、第１の警告レベルの警告情報と、前記第１の警告レベルよりレベルが低い第２の警告レベルの警告情報とをユーザに通知する警告通知手段を含み、前記警告通知手段は、前記比較手段により移動受信装置の位置が警報地域へ近づいていると判断された場合、前記第１の警告レベルの警告情報をユーザに通知し、前記比較手段によりユーザの現在位置が警報地域へ近づいていないと判断された場合、前記第２の警告レベルの警告情報をユーザに通知することが好ましい。
【００２６】
この場合、移動受信装置の位置が警報地域へ近づいていると判断されたときに、第１の警告レベルの警告情報をユーザに通知し、警報地域へ近づいていないと判断された場合、第１の警告レベルよりレベルが低い第２の警告レベルの警告情報をユーザに通知しているので、ユーザが警報地域に近づくほど警告レベルの高い警告情報を提供することができ、より確実に警告情報をユーザに了知させることができる。
【００２７】
所定の警報レベルを記憶する警報レベル記憶手段をさらに備え、前記比較手段は、前記検出手段により緊急警報放送が行われていることが検出された場合、緊急警報放送の警報レベルを取得し、取得した警報レベルが前記警報レベル記憶手段に記憶されている警報レベル以上の場合、前記警告手段に警告情報を報知させることが好ましい。
【００２８】
この場合、緊急警報放送の警報レベルが記憶されている警報レベル以上のときに、警告情報を報知しているので、記憶されている警報レベルに達しない場合は警告情報がユーザに報知されず、不要な警告情報をユーザに提供することを防止することができる。
【００２９】
本発明に係る受信方法は、ユーザとともに使用場所が移動され得る移動受信装置を用いて緊急警報放送を受信する受信方法であって、前記移動受信装置の位置取得手段が、当該移動受信装置の現在の位置を表す位置情報を取得するステップと、前記移動受信装置の警報地域取得手段が、緊急警報放送が関連する警報地域を特定する地域情報を取得するステップと、前記移動受信装置の比較手段が、前記位置取得手段により取得された位置情報と、前記警報地域取得手段により取得された地域情報とを比較し、その比較結果を基に緊急警報放送をユーザに報知すべきか否かを判断するステップと、前記移動受信装置の警告手段が、前記比較手段により緊急警報放送をユーザに報知すべきと判断された場合に、緊急警報放送に基づいてユーザに警告情報を報知するステップとを含むものである。
【００３０】
本発明に係る受信プログラムは、ユーザとともに使用場所が移動され得る移動受信装置を、当該移動受信装置の現在の位置を表す位置情報を取得する位置取得手段と、緊急警報放送が関連する警報地域を特定する地域情報を取得する警報地域取得手段と、前記位置取得手段により取得された位置情報と、前記警報地域取得手段により取得された地域情報とを比較し、その比較結果を基に緊急警報放送をユーザに報知すべきか否かを判断する比較手段と、前記比較手段により緊急警報放送をユーザに報知すべきと判断された場合に、緊急警報放送に基づいてユーザに警告情報を報知する警告手段として機能させるものである。
【発明の効果】
【００３１】
本発明によれば、移動受信装置の現在の位置情報と緊急警報放送が関連する警報地域を特定する地域情報が比較され、その比較結果を基に緊急警報放送をユーザに報知すべきか否かが判断され、緊急警報放送をユーザに報知すべきと判断された場合に、緊急警報放送に基づいてユーザに警告情報が報知されるので、緊急警報放送による警報の対象となる警報地域に関係する位置にいるユーザのみに緊急警報放送に基づいた警告情報を報知することができ、移動受信装置の位置が移動する場合でも、ユーザが必要とする警告情報を的確にユーザに提示することができる。
【発明を実施するための最良の形態】
【００３２】
以下、本発明の各実施の形態による移動受信装置として携帯電話を例に図面を参照しながら説明する。図１は、本発明の第１の実施の形態による携帯電話の構成を示すブロック図である。
【００３３】
図１に示す携帯電話は、デジタル放送用アンテナ１１、チューナ１２、復調・復号部１３、ＡＶデコーダ１４、表示部１５、緊急警報放送検出部１６、電源制御部１７、内部電源１８、ＧＰＳ用アンテナ２１、位置情報受信部２２、位置情報記憶部２３、比較部２４、警告判定部２５、警報レベル記憶部２６、スピーカ２７及び操作部２８を備える。
【００３４】
なお、図１に示す携帯電話は、通常の電話機能を実現する各回路を内蔵しているが、本発明と直接的に関係しない部分は、説明を容易にするために図示及び詳細な説明を省略する。また、上記の各ブロックは、専用回路から構成してもよいし、後述する緊急警報放送受信処理を実行するための受信プログラムを、携帯電話に内蔵されるマイクロプロセッサ等を用いて実行することにより実現してもよい。これらの点は、他の実施の形態も同様である。
【００３５】
チューナ１２は、デジタル放送用アンテナ１１を介して地上波デジタル放送波を受信し、高調波デジタル変調信号の中から特定周波数の信号を選択して中間周波信号に変換して復調・復号部１３及び緊急警報放送検出部１６へ出力する。なお、チューナ１２が選局するチャンネルとしては、緊急警報放送が多重される可能性が高い日本放送協会のチャンネルが予め設定されているが、この例に特に限定されず、所定時間ごとにチャンネルを順次切り替えて緊急警報放送を含むチャンネルを選択する等の種々の変更が可能である。
【００３６】
復調・復号部１３は、中間周波信号を復調及び復号化してトランスポートストリームをＡＶデコーダ１４へ出力する。ＡＶデコーダ１４は、トランスポートストリームを変換して映像信号及び音声信号を表示部１５へ出力する。表示部１５は、映像信号を用いて緊急警報放送の映像を表示させるとともに、音声信号を用いて緊急警報放送の音声を再生する。なお、上記の説明では、地上波デジタル放送を例に各ブロックを説明したが、緊急警報放送が多重されていれば、ＢＳデジタル放送及びモバイル放送等についても上記と同様に処理される。
【００３７】
緊急警報放送検出部１６は、中間周波信号からＴＭＣＣ（Ｔｉｍｅ  Ｍｕｌｔｉｐｌｅｘｉｎｇ  Ｃｏｎｆｉｇｕｒａｔｉｏｎ  Ｃｏｎｔｒｏｌ：伝送多重制御信号）の緊急警報放送用フラグを検出し、緊急警報放送用フラグが「１」の場合に緊急警報放送が送出されていると判断し、一方、緊急警報放送用フラグが「０」の場合に緊急警報放送が送出されていないと判断し、判断結果を電源制御部１７へ出力する。
【００３８】
内部電源１８は、リチウムイオン電池等から構成され、電源制御部１７へ電力を常時供給するとともに、電源制御部１７の指示に応じて装置内の所定のブロックへ電力を供給する。電源制御部１７は、装置本体が第３の電源状態の一例である最小省電力状態にあるとき、少なくともチューナ１２及び緊急警報放送検出部１６へ電力を供給するように内部電源１８を制御し、緊急警報放送検出部１６により緊急警報放送が送出されていないと判断されている場合、最小省電力状態を維持する。
【００３９】
一方、緊急警報放送検出部１６により緊急警報放送が送出されていると判断された場合、電源状態を最小省電力状態から第１の電源状態の一例である通常省電力状態に切り替えるため、復調・復号部１３、位置情報受信部２２、位置情報記憶部２３、比較部２４、警告判定部２５及び警報レベル記憶部２６へも電力を供給するように内部電源１８を制御する。
【００４０】
また、緊急警報放送検出部１６により緊急警報放送が送出されていると判断された場合、位置情報受信部２２は、ＧＰＳ用アンテナ２１を介して衛星から送信されるＧＰＳ（Ｇｌｏｂａｌ  Ｐｏｓｉｔｉｏｎｉｎｇ  Ｓｙｓｔｅｍ）用電波を受信し、公知のＧＰＳ測距方法を用いて携帯電話の現在位置すなわちユーザの現在位置を検出し、現在位置を表す位置情報を位置情報記憶部２３へ出力する。位置情報記憶部２３は、位置情報を記憶する。
【００４１】
さらに、緊急警報放送検出部１６により緊急警報放送が送出されていると判断された場合、復調・復号部１３は、トランスポートストリームからＰＳＩ（Ｐｒｏｇｒａｍ  Ｓｐｅｃｉｆｉｃ  Ｉｎｆｏｍａｔｉｏｎ：番組特定情報）を抽出し、ＰＳＩ内のＰＭＴ（Ｐｒｏｇｒａｍ  Ｍａｐ  Ｔａｂｌｅ）に格納されている緊急情報記述子（Ｅｍｅｒｇｅｎｃｙ  Ｉｎｆｏｍａｔｉｏｎ  Ｄｉｓｃｒｉｐｔｏｒ）から「ｓｔａｒｔ＿ｅｎｄ＿ｆｌａｇ」、「ｓｉｇｎａｌ＿ｌｅｖｅｌ」及び「ａｒｅａ＿ｃｏｄｅ」を抽出し、「ａｒｅａ＿ｃｏｄｅ」を比較部２４へ出力し、「ｓｉｇｎａｌ＿ｌｅｖｅｌ」を警告判定部２５へ出力する。
【００４２】
ここで、緊急情報記述子は、ＡＲＩＢ  ＳＴＤ−Ｂ１０に規定される記述子であり、緊急警報信号としての必要な情報及び機能が記述される。また、「ｓｔａｒｔ＿ｅｎｄ＿ｆｌａｇ」（開始／終了フラグ）は、緊急警報放送が行われていることを示す情報であり、１ビットのフラグから構成され、郵政省公示昭６０第４０５号で定められる緊急警報信号のうち開始信号及び終了信号に対応している。「ｓｔａｒｔ＿ｅｎｄ＿ｆｌａｇ」が「１」の場合、緊急警報信号が開始又は放送中であることを示し、「０」の場合、緊急警報信号が終了したことを示す。
【００４３】
「ｓｉｇｎａｌ＿ｌｅｖｅｌ」（信号種別）は、緊急警報放送の警報レベルを示す情報であり、１ビットのフィールドから構成され、無線局運用規則第１３８条の２で定められる緊急警報信号の種別に対応している。「ｓｉｇｎａｌ＿ｌｅｖｅｌ」が「１」の場合、放送される緊急警報信号が第１種開始信号であることを示し、「０」の場合、放送される緊急警報信号が第２種開始信号であることを示す。
【００４４】
「ａｒｅａ＿ｃｏｄｅ」（地域符号）は、緊急警報放送が関連する警報地域すなわち緊急警報放送の報知が必要とされる警報地域を特定する地域情報であり、１２ビットのフィールドから構成され、無線局運用規則第１３８条の３で定められる地域符号に対応し、地域符号の割り当ては、郵政省公示昭６０第４０５号に規定されるものが使用される。
【００４５】
なお、緊急警報放送が行われていることを示す情報、緊急警報放送が関連する警報地域を特定する地域情報及び緊急警報放送の警報レベルを示す情報は、上記の例に特に限定されず、デジタル放送の種別に応じて上記の各データに相当する種々のデータを用いることができる。
【００４６】
比較部２４は、位置情報記憶部２３から現在の位置情報を読み出し、携帯電話の現在位置と「ａｒｅａ＿ｃｏｄｅ」により特定される警報地域とを比較し、比較結果を警告判定部２５へ出力する。例えば、比較部２４は、携帯電話の現在位置が緊急警報放送の警報地域内にあるか否かを判定し、判定結果を警告判定部２５に通知する。比較部２４による携帯電話の現在位置と緊急警報放送の警報地域との比較処理は、上記の例に特に限定されず、携帯電話の現在位置と緊急警報放送の警報地域との間の距離を算出し、算出した距離を通知する等の種々の変更が可能である。
【００４７】
操作部２８は、数字キー、十字キー等の種々の操作ボタンから構成され、例えば、ユーザが緊急警報放送の基準警報レベルを入力したり、警告動作を設定するため等に使用される。基準警報レベルは、上記の「ｓｉｇｎａｌ＿ｌｅｖｅｌ」により特定される警報レベルに対応するものであり、例えば、第１種開始信号（大地震）の緊急警報放送の報知を希望する場合、ユーザは、操作部２８を用いて「１」を入力する。また、第２種開始信号（津波）の緊急警報放送の報知を希望する場合、ユーザは、操作部２８を用いて「２」を入力する。操作部２８は、ユーザが入力した基準警報レベルを警報レベル記憶部２６に記憶させる。なお、本実施の形態では、基準警報レベルの値が小さいほど、警報レベルが高くなる。
【００４８】
警報レベル記憶部２６に基準警報レベルが記憶されていない場合、警告判定部２５は、比較部２４による比較結果を基に警告が必要であるか否かを判定する。警告判定部２５は、警告が必要であると判定した場合、所定の警告動作を行うために、通常省電力状態から警告用電力状態へ切り替えるように電源制御部１７に指示した後、ＡＶデコーダ１４、表示部１５、電源制御部１７及びスピーカ２７等を制御して警告動作を実行させる。
【００４９】
警報レベル記憶部２６に基準警報レベルが記憶されている場合、警告判定部２５は、警報レベル記憶部２６に記憶されている基準警報レベルを読み出し、「ｓｉｇｎａｌ＿ｌｅｖｅｌ」により特定される警報レベルが基準警報レベル以上であるか否かを判断し、比較部２４の比較結果から警告が必要であると判断し且つ「ｓｉｇｎａｌ＿ｌｅｖｅｌ」により特定される警報レベルが基準警報レベル以上である場合は、警告が必要であると判定し、「ｓｉｇｎａｌ＿ｌｅｖｅｌ」により特定される警報レベルが基準警報レベル以上でない場合は、警告は不必要であると判断する。
【００５０】
例えば、警報レベル記憶部２６に「１」が記憶されている場合、比較部２４による比較結果から警告が必要であると判定され且つ「ｓｉｇｎａｌ＿ｌｅｖｅｌ」が「１」の場合にのみ、携帯電話の現在位置と警報地域との位置関係及び当該警報レベルから特定される警告動作が行われる。また、警報レベル記憶部２６に「２」が記憶されている場合、「ｓｉｇｎａｌ＿ｌｅｖｅｌ」が「１」の場合は、上記の警告動作が行われ、「ｓｉｇｎａｌ＿ｌｅｖｅｌ」が「２」の場合は、携帯電話の現在位置と警報地域との位置関係及び当該警報レベルから特定される警告動作が行われる。
【００５１】
なお、警報レベル記憶部２６に記憶される基準警報レベルは、上記の例に特に限定されず、製造時等において警報レベル記憶部２６に予め記憶させたものを用いたり、複数の基準警報レベルを記憶させ、各警報レベルごとに警告動作を変化させる等の種々の変更が可能である。
【００５２】
図２は、各警報レベルに対してユーザが設定可能な警告動作の一例を説明するための図である。図２に示すように、警報レベルが「１」（大地震）で且つ現在位置が警報地域内に含まれるとき、表示部１５に緊急警報放送を表示するＴＶ表示設定が「オン」に固定され、スピーカ２７から発生される警告音の鳴動レベルが「大」に固定されており、これらの設定データは、警告判定部２５内のメモリに予め記憶されている。この場合、ユーザは、警告動作を変更できない。
【００５３】
一方、警報レベルが「１」で且つ現在位置が警報地域外にあるとき、又は、警報レベルが「２」（津波）で且つ現在位置が警報地域内に含まれるとき、ユーザは、操作部２８を用いて、ＴＶ表示設定を「オン」又は「オフ」に、鳴動レベルを「大」又は「小」に設定することができ、これらの設定データは、操作部２８により警告判定部２５内のメモリに記憶される。
【００５４】
また、警報レベルが「２」で且つ現在位置が警報地域外にあるとき、ユーザは、操作部２８を用いて、ＴＶ表示設定を「オン」又は「オフ」に、鳴動レベルを「小」又は「オフ」に設定することができ、これらの設定データは、操作部２８により警告判定部２５内のメモリに記憶される。
【００５５】
例えば、警告動作としてＴＶ表示設定が「オン」になっている場合、警告判定部２５は、ＡＶデコーダ１４及び表示部１５に電力を供給するように電源制御部１７に指示し、内部電源１８からＡＶデコーダ１４及び表示部１５へ電力が供給された後、チューナ１２、復調・復号部１３、ＡＶデコーダ１４及び表示部１５に緊急警報放送を受信して表示させるための制御信号ＣＳを出力する。この結果、表示部１５に緊急警報放送が自動的に表示される。
【００５６】
また、警告動作として鳴動レベルが「大」になっている場合、警告判定部２５は、スピーカ２７に電力を供給するように電源制御部１７に指示し、内部電源１８からスピーカ２７へ電力が供給された後、警告音を大音量でするようにスピーカ２７に指示する。この結果、スピーカ２７から警告音が大音量で自動的に再生される。なお、鳴動レベルが「小」の場合も、小音量で警告音が再生される以外、上記と同様の動作が行われる。
【００５７】
なお、本発明に用いられる警告動作は、上記の例に特に限定されず、種々の変更が可能であり、すべての組み合わせに対してユーザ設定を可能にする等の種々の変更が可能である。また、本実施の形態では、スピーカ２７を用いて警告音を発生させているが、警告方法は、この例に特に限定されず、警告音とともに又は警告音を用いることなく、圧電素子等から構成される振動部材を振動させて警告をユーザに伝えるようにしてもよい。この場合、上記の鳴動レベルは、振動部材の振幅及び／又は振動周波数として用いることができる。
【００５８】
また、警告判定部２５による警告の必要の有無の判定方法も、上記の例に特に限定されず、種々の変更が可能である。例えば、比較部２４の比較結果として、携帯電話の現在位置が緊急警報放送の警報地域内にある場合に警告が必要であると判定し、携帯電話の現在位置が緊急警報放送の警報地域外にある場合に警告が不要であると判定してもよい。この場合、警報レベル記憶部２６は不要となる。
【００５９】
本実施の形態は、ＧＰＳ用アンテナ２１、位置情報受信部２２及び位置情報記憶部２３が位置取得手段の一例に相当し、デジタル放送用アンテナ１１、チューナ１２、復調・復号部１３及び緊急警報放送検出部１６が警報地域取得手段の一例に相当し、比較部２４及び警告判定部２５が比較手段の一例に相当し、ＡＶデコーダ１４、表示部１５、警報レベル記憶部２６及びスピーカ２７が警告手段の一例に相当し、電源制御部１７が電源制御手段の一例に相当する。また、表示部１５が表示手段の一例に相当し、ＡＶデコーダ１４が生成手段の一例に相当し、デジタル放送用アンテナ１１、チューナ１２及び緊急警報放送検出部１６が受信手段の一例に相当し、復調・復号部１３が抽出手段の一例に相当し、スピーカ２７が警告通知手段の一例に相当し、警報レベル記憶部２６が警報レベル記憶手段の一例に相当する。
【００６０】
次に、上記のように構成された携帯電話の緊急警報放送受信処理について詳細に説明する。図３は、図１に示す携帯電話による緊急警報放送受信処理を説明するためのフローチャートである。
【００６１】
図３に示すように、ユーザにより携帯電話の主電源がオンされて緊急警報放送待ち受け状態にされると、まず、ステップＳ１において、電源制御部１７は、チューナ１２及び緊急警報放送検出部１６へ電力を供給するように内部電源１８を制御し、内部電源１８は、チューナ１２及び緊急警報放送検出部１６へ電力を供給し、電源状態が最小省電力状態に設定される。
【００６２】
次に、ステップＳ２において、チューナ１２は、デジタル放送用アンテナ１１を介して地上波デジタル放送波を受信し、高調波デジタル変調信号の中から特定周波数の信号を選択して中間周波信号を緊急警報放送検出部１６へ出力し、緊急警報放送検出部１６は、中間周波信号からＴＭＣＣの緊急警報放送用フラグを検出して緊急警報放送が送信されているか否かを判断する。緊急警報放送検出部１６は、ＴＭＣＣの緊急警報放送用フラグが「１」の場合に緊急警報放送が送出されていると判断して判断結果を電源制御部１７へ出力した後、処理がステップＳ３へ移行され、緊急警報放送用フラグが「０」の場合は緊急警報放送が送出されていないと判断してステップＳ２の処理を繰り返す。
【００６３】
なお、緊急警報放送が送出されているか否かの判定は、上記の方法に特に限定されず、例えば、最小省電力状態を設けることなく、通常省電力状態において、復調・復号部１３を用いてＰＳＩから緊急情報記述子を検出するようにしてもよい。この場合、ステップＳ１の処理は省略される。
【００６４】
緊急警報放送が送出されている場合、ステップＳ３において、電源制御部１７は、復調・復号部１３、位置情報受信部２２、位置情報記憶部２３、比較部２４、警告判定部２５及び警報レベル記憶部２６へも電力を供給するように内部電源１８を制御し、内部電源１８は、チューナ１２、緊急警報放送検出部１６に加えて、復調・復号部１３、位置情報受信部２２、位置情報記憶部２３、比較部２４、警告判定部２５及び警報レベル記憶部２６へも電力を供給し、電源状態が最小省電力状態から通常省電力状態へ切り替えられる。
【００６５】
次に、ステップＳ４において、位置情報受信部２２は、ＧＰＳ用アンテナ２１を介してＧＰＳ用電波を受信し、携帯電話の現在位置を検出して現在位置を表す位置情報を位置情報記憶部２３に記憶させる。
【００６６】
次に、ステップＳ５において、復調・復号部１３は、トランスポートストリームから緊急情報記述子の「ｓｔａｒｔ＿ｅｎｄ＿ｆｌａｇ」、「ｓｉｇｎａｌ＿ｌｅｖｅｌ」及び「ａｒｅａ＿ｃｏｄｅ」を抽出し、「ａｒｅａ＿ｃｏｄｅ」を比較部２４へ出力し、「ｓｉｇｎａｌ＿ｌｅｖｅｌ」を警告判定部２５へ出力する。
【００６７】
次に、ステップＳ６において、比較部２４は、位置情報記憶部２３から現在の位置情報を読み出し、現在位置が「ａｒｅａ＿ｃｏｄｅ」により特定される警報地域に含まれるか否かを判定し、その結果を警告判定部２５に通知する。
【００６８】
次に、ステップＳ７において、警告判定部２５は、警報レベル記憶部２６に基準警報レベルが記憶されている場合、警報レベル記憶部２６に記憶されている基準警報レベルを読み出し、「ｓｉｇｎａｌ＿ｌｅｖｅｌ」により特定される警報レベルが基準警報レベル以上であるか否かを判断し、「ｓｉｇｎａｌ＿ｌｅｖｅｌ」により特定される警報レベルが基準警報レベル以上であり且つ比較部２４の比較結果から携帯電話が警報地域内に存在すると判定した場合は、警告が必要であると判断し、処理がステップＳ８へ移行され、「ｓｉｇｎａｌ＿ｌｅｖｅｌ」により特定される警報レベルが基準警報レベル以上でない場合は、警告は不必要であると判断し、処理がステップＳ１０へ移行される。なお、警報レベル記憶部２６に基準警報レベルが記憶されていない場合、警告判定部２５は、比較部２４による比較結果を基に警告が必要であるか否かを判定する。
【００６９】
警告が必要であると判断された場合、ステップＳ８において、警告判定部２５は、比較部２４による判定結果と、「ｓｉｇｎａｌ＿ｌｅｖｅｌ」により特定される警報レベルとの組み合わせから実行すべき警告動作を特定し、当該警告を行うために必要なブロックへ電力を供給するように指示し、電源制御部１７は、当該警告を行うために必要なブロックへも電力を供給するように内部電源１８を制御し、内部電源１８は、当該警告を行うために必要なブロックへも電力を供給し、電源状態が通常省電力状態から警告用電源状態へ切り替えられる。
【００７０】
次に、ステップＳ９において、警告判定部２５は、ＡＶデコーダ１４、表示部１５及びスピーカ２７を制御し、比較部２４による判定結果と、「ｓｉｇｎａｌ＿ｌｅｖｅｌ」により特定される警報レベルとの組み合わせから特定される警告動作を実行させる。
【００７１】
次に、ステップＳ９の処理が終了した後、又は、ステップＳ７で警告が不必要であると判断された場合、ステップＳ１０において、チューナ１２及び緊急警報放送検出部１６は、ステップＳ２と同様に、ＴＭＣＣの緊急警報放送用フラグを検出して緊急警報放送が終了したか否かを判断する。緊急警報放送用フラグが「１」の場合は、緊急警報放送検出部１６は、緊急警報放送が終了していないと判断し、処理がステップＳ４に戻され、緊急警報放送用フラグが「０」になった場合に、緊急警報放送検出部１６は、緊急警報放送が終了したと判断して判断結果を電源制御部１７へ出力した後、処理がステップＳ１に戻され、電源状態が警告用電源状態又は通常省電力状態から最小省電力状態へ切り替えられ、以降の処理が継続される。
【００７２】
上記の処理により、本実施の形態では、ＧＰＳ用アンテナ２１、位置情報受信部２２及び位置情報記憶部２３により移動受信装置の現在の位置を表す位置情報が取得され、デジタル放送用アンテナ１１、チューナ１２、復調・復号部１３及び緊急警報放送検出部１６により緊急警報放送が関連する警報地域を特定する地域情報が緊急警報放送から取得され、比較部２４により位置情報と地域情報とが比較され、警告判定部２５により携帯電話が警報地域内に存在し且つ警報レベルが基準警報レベル以上である場合に緊急警報放送をユーザに報知すべきであると判定される。このとき、ＡＶデコーダ１４、表示部１５及びスピーカ２７により緊急警報放送による映像及び警告音がユーザに報知されるので、警報レベルに応じて警報地域内にいるユーザのみに緊急警報放送による映像及び警告音を提供することができる。
【００７３】
また、緊急警報放送をユーザに報知すべきと判断された場合に、電源制御部１７により電源状態が通常省電力状態から警報用電力状態に切り替えられ、緊急警報放送をユーザに報知すべきと判断されるまでは、ＡＶデコーダ１４、表示部１５及びスピーカ２７には電力供給が行われないため、不要な電力消費を抑制することができる。この結果、移動受信装置の位置が移動する場合でも、電力を不要に消費することなく、ユーザが必要とする警告情報を的確にユーザに提示することができる。
【００７４】
また、デジタル放送のＴＭＣＣ信号から緊急警報放送起動用フラグを検出し、緊急警報放送起動用フラグを検出した場合に、最小省電力状態から通常省電力状態へ電源状態を切り替えているので、緊急警報放送起動用フラグを検出してデジタル放送から緊急警報放送が行われていることが検出されるまでは、復調・復号部１３、位置情報受信部２２、位置情報記憶部２３、比較部２４、警告判定部２５及び警報レベル記憶部２６には電力供給が行われないので、電力消費を必要最小限に抑制することができる。
【００７５】
次に、本発明の第２の実施の形態による携帯電話について説明する。図４は、本発明の第２の実施の形態による携帯電話の構成を示すブロック図である。
【００７６】
図４に示す携帯電話は、デジタル放送用アンテナ１１、チューナ１２ａ、復調・復号部１３ａ、ＡＶデコーダ１４、表示部１５、電源制御部１７ａ、内部電源１８、ＧＰＳ用アンテナ２１、位置情報受信部２２、位置情報記憶部２３、比較部２４ａ、警告判定部２５ａ、スピーカ２７、操作部２８、通信用アンテナ３１、受信部３２及び警報情報抽出部３３を備える。なお、以下の説明において、第１の実施の形態と同一部分には同一符号を付して詳細な説明を省略し、第２の実施の形態の特徴的な部分を主に説明する。
【００７７】
チューナ１２ａは、デジタル放送用アンテナ１１を介して地上波デジタル放送波を受信し、高調波デジタル変調信号の中から特定周波数の信号を選択して中間周波信号を復調・復号部１３ａへ出力する。復調・復号部１３ａは、中間周波信号を復調及び復号化してトランスポートストリームをＡＶデコーダ１４へ出力する。ＡＶデコーダ１４及び表示部１５は、第１の実施の形態と同様に構成される。また、復調・復号部１３ａは、トランスポートストリームからＰＳＩ内の緊急情報記述子を抽出し、さらに、緊急情報記述子から「ｓｔａｒｔ＿ｅｎｄ＿ｆｌａｇ」を抽出して警告判定部２５ａへ出力する。
【００７８】
位置情報受信部２２及び位置情報記憶部２３は、第１の実施の形態と同様に動作し、位置情報受信部２２は、ＧＰＳ用アンテナ２１を介してＧＰＳ用電波を受信して携帯電話の現在位置すなわちユーザの現在位置を検出し、現在位置を表す位置情報を位置情報記憶部２３へ出力し、位置情報記憶部２３は、位置情報を記憶する。
【００７９】
ここで、本実施の形態では、携帯電話会社の通信網管理サーバ又はＷｅｂサーバ等からメール通信等により緊急警報放送通知が基地局を介して携帯電話へ送信される。緊急警報放送通知には、緊急警報放送が行われていることを示す緊急警報放送情報と、緊急警報放送が関連する警報地域すなわち緊急警報放送の報知が必要とされる警報地域を特定する地域情報と、緊急警報放送を放送している放送局を特定する放送局識別情報とが含まれている。
【００８０】
例えば、緊急警報放送情報及び地域情報としては、「ｓｔａｒｔ＿ｅｎｄ＿ｆｌａｇ」及び「ａｒｅａ＿ｃｏｄｅ」と同様の情報を用いることができ、放送局識別情報としては、放送局名又はチャンネル番号等を用いることができる。なお、チューナ１２ａが緊急警報放送を放送しているチャンネルを自動選局できる場合、放送局識別情報を省略することも可能である。
【００８１】
通信用アンテナ３１及び受信部３２は、携帯電話の通常通話機能及びインターネット通信機能に使用されるものであり、受信部３２は、通信用アンテナ３１を介して携帯電話会社の基地局から送信される電波を受信し、受信信号を警報情報抽出部３３へ出力する。
【００８２】
警報情報抽出部３３は、受信信号から緊急警報放送通知を抽出し、緊急警報放送通知に含まれる地域情報を比較部２４ａへ出力し、緊急警報放送通知に含まれる緊急警報放送情報及び放送局識別情報を警告判定部２５ａへ出力する。
【００８３】
比較部２４ａは、位置情報記憶部２３から現在の位置情報を読み出し、携帯電話の現在位置と緊急警報放送通知に含まれる地域情報により特定される緊急警報放送の警報地域とを比較し、比較結果を警告判定部２５ａへ出力する。例えば、比較部２４ａは、携帯電話の現在位置が緊急警報放送の警報地域内にあるか否かを判定し、判定結果を警告判定部２５ａに通知する。
【００８４】
警告判定部２５ａは、警報情報抽出部３３から緊急警報放送情報を受けると、比較部２４ａの比較結果を基に緊急警報放送による警告が必要であるか否かを判定する。警告判定部２５ａは、携帯電話の現在位置が緊急警報放送の警報地域内にある場合は警告が必要であると判断し、チューナ１２ａ、復調・復号部１３ａ、ＡＶデコーダ１４、表示部１５及びスピーカ２７へも電力を供給するように電源制御部１７ａに指示する。
【００８５】
なお、警告が必要であるか否かの判定は、上記の例に特に限定されず、種々の変更が可能であり、例えば、比較部２４ａにより、現在位置と警報地域との位置関係を検出し、現在位置が警報地域の外延から所定距離内に入ったときに警告するようにしてもよい。この場合、上記の所定距離は、予め記憶されている値を用いたり、ユーザが操作部２８を用いて所望の距離を入力するようにしてもよい。
【００８６】
また、警告判定部２５ａは、復調・復号部１３ａから出力されている「ｓｔａｒｔ＿ｅｎｄ＿ｆｌａｇ」が「０」になったとき、緊急警報放送が終了したと判断して電源状態を警告用電源状態から省電力状態へ切り替えるように電源制御部１７ａに指示する。
【００８７】
電源制御部１７ａは、内部電源１８から電力を供給され、装置本体が第１の電力状態である省電力状態にあるとき、少なくとも位置情報受信部２２、位置情報記憶部２３、比較部２４ａ、警告判定部２５ａ、受信部３２及び警報情報抽出部３３へ電力を供給するように内部電源１８を制御する。なお、位置情報受信部２２及び位置情報記憶部２３への電力供給は、警報情報抽出部３３が緊急警報放送通知を検知したときに供給するようにしてもよい。
【００８８】
また、電源制御部１７ａは、警告判定部２５ａにより警告が必要であると判断された場合、電源状態を省電力状態から警告用電源状態へ切り替えるため、復調・復号部１３ａ、ＡＶデコーダ１４、表示部１５及びスピーカ２７へも電力を供給するように内部電源１８を制御する。その後、警告判定部２５ａは、放送局識別情報により特定されるチャンネルを選択するようにチューナ１２ａへ指示し、復調・復号部１３ａ及びＡＶデコーダ１４は、緊急警報放送を表示部１５に表示させるとともに、スピーカ２７は、警告音を発生させる。なお、警告動作は、上記の例に特に限定されず、スピーカ２７から警告音のみを発生させ、その後のユーザの要望に応じて緊急警報放送を表示させる等の種々の変更が可能である。
【００８９】
また、電源制御部１７ａは、警告判定部２５ａから電源状態を警告用電源状態から省電力状態へ切り替えるように指示された場合、復調・復号部１３ａ、ＡＶデコーダ１４、表示部１５及びスピーカ２７へ電力を停止するように内部電源１８を制御する。
【００９０】
本実施の形態は、ＧＰＳ用アンテナ２１、位置情報受信部２２及び位置情報記憶部２３が位置取得手段の一例に相当し、通信用アンテナ３１、受信部３２及び警報情報抽出部３３が警報地域取得手段の一例に相当し、比較部２４ａ及び警告判定部２５ａが比較手段の一例に相当し、デジタル放送用アンテナ１１、チューナ１２ａ、復調・復号部１３ａ、ＡＶデコーダ１４、表示部１５及びスピーカ２７が警告手段の一例に相当し、電源制御部１７ａが電源制御手段の一例に相当する。また、表示部１５が表示手段の一例に相当し、デジタル放送用アンテナ１１、チューナ１２ａ、復調・復号部１３ａ、ＡＶデコーダ１４が生成手段の一例に相当し、スピーカ２７が警告通知手段の一例に相当する。
【００９１】
次に、上記のように構成された携帯電話の緊急警報放送受信処理について詳細に説明する。図５は、図４に示す携帯電話による緊急警報放送受信処理を説明するためのフローチャートである。
【００９２】
図５に示すように、ユーザにより携帯電話の主電源がオンされて緊急警報放送待ち受け状態にされると、まず、ステップＳ１１において、電源制御部１７ａは、位置情報受信部２２、位置情報記憶部２３、比較部２４ａ、警告判定部２５ａ、受信部３２及び警報情報抽出部３３へ電力を供給するように内部電源１８を制御し、内部電源１８は、位置情報受信部２２、位置情報記憶部２３、比較部２４ａ、警告判定部２５ａ、受信部３２及び警報情報抽出部３３へ電力を供給し、電源状態が省電力状態に設定される。
【００９３】
次に、ステップＳ１２において、警報情報抽出部３３は、通信用アンテナ３１及び受信部３２により受信された受信信号に緊急警報放送通知が含まれているか否かを判断し、緊急警報放送通知が含まれている場合は、緊急警報放送通知に含まれる地域情報を比較部２４ａへ出力し、緊急警報放送通知に含まれる緊急警報放送情報及び放送局識別情報を警告判定部２５ａへ出力する。緊急警報放送通知が含まれていない場合は、ステップＳ１２の処理を繰り返す。
【００９４】
緊急警報放送通知が含まれている場合、ステップＳ１３において、位置情報受信部２２は、ＧＰＳ用アンテナ２１を介してＧＰＳ用電波を受信し、携帯電話の現在位置を検出して現在位置を表す位置情報を位置情報記憶部２３に記憶させる。なお、現在位置の取得タイミングは、この例に特に限定されず、所定期間ごとに取得する等の種々の変更が可能である。
【００９５】
次に、ステップＳ１４において、比較部２４ａは、位置情報記憶部２３から現在の位置情報を読み出し、携帯電話の現在位置と地域情報により特定される緊急警報放送の警報地域とを比較し、携帯電話の現在位置が緊急警報放送の警報地域内にあるか否かを判定し、判定結果を警告判定部２５ａに通知する。
【００９６】
次に、ステップＳ１５において、警告判定部２５ａは、比較部２４ａの比較結果を基に緊急警報放送による警告が必要であるか否かを判定し、携帯電話の現在位置が緊急警報放送の警報地域外にある場合は警告が不必要であると判断し、処理がステップＳ１８へ移行され、携帯電話の現在位置が緊急警報放送の警報地域内にある場合は警告が必要であると判断し、処理がステップＳ１６へ移行される。
【００９７】
警告が必要であると判断された場合、ステップＳ１６において、警告判定部２５ａは、チューナ１２ａ、復調・復号部１３ａ、ＡＶデコーダ１４、表示部１５及びスピーカ２７へも電力を供給するように電源制御部１７ａに指示し、電源制御部１７ａは、チューナ１２ａ、復調・復号部１３ａ、ＡＶデコーダ１４、表示部１５及びスピーカ２７へも電力を供給するように内部電源１８を制御し、電源状態が省電力状態から警告用電源状態へ切り替えられる。
【００９８】
次に、ステップＳ１７において、警告判定部２５ａは、放送局識別情報により特定されるチャンネルを選択するようにチューナ１２ａへ指示し、復調・復号部１３ａ及びＡＶデコーダ１４は、緊急警報放送を表示部１５に表示させるとともに、スピーカ２７は、警告音を発生させる。このとき、復調・復号部１３ａは、ＰＳＩ内の緊急情報記述子から「ｓｔａｒｔ＿ｅｎｄ＿ｆｌａｇ」を抽出して警告判定部２５ａへ出力する。
【００９９】
次に、ステップＳ１７の処理が終了した後、又は、ステップＳ１５で警告が不必要であると判断された場合、ステップＳ１８において、警告判定部２５ａは、復調・復号部１３ａから出力されている「ｓｔａｒｔ＿ｅｎｄ＿ｆｌａｇ」が「０」になったか否かを判断することにより、緊急警報放送が終了したか否かを判断する。警告判定部２５ａは、「ｓｔａｒｔ＿ｅｎｄ＿ｆｌａｇ」が「１」の場合は、緊急警報放送が終了していないと判断し、処理がステップＳ１３に戻され、「ｓｔａｒｔ＿ｅｎｄ＿ｆｌａｇ」が「０」になった場合に、緊急警報放送が終了したと判断して電源状態を警告用電源状態から省電力状態へ切り替えるように電源制御部１７ａへ指示した後、処理がステップＳ１１に戻され、電源状態が警告用電源状態から省電力状態へ切り替えられ、以降の処理が継続される。
【０１００】
上記の処理により、本実施の形態では、ＧＰＳ用アンテナ２１、位置情報受信部２２及び位置情報記憶部２３により移動受信装置の現在の位置を表す位置情報が取得され、通信用アンテナ３１、受信部３２及び警報情報抽出部３３により緊急警報放送が関連する警報地域を特定する地域情報が緊急警報放送通知から取得され、比較部２４ａにより位置情報と地域情報とが比較され、警告判定部２５ａによりユーザが警報地域内にいる場合に緊急警報放送をユーザに報知すべきであると判定される。
【０１０１】
このとき、デジタル放送用アンテナ１１、チューナ１２ａ、復調・復号部１３ａ、ＡＶデコーダ１４、表示部１５及びスピーカ２７により緊急警報放送による映像及び警告音がユーザに報知されるので、警報地域内にいるユーザのみに緊急警報放送による映像及び警告音を提供することができる。
【０１０２】
また、緊急警報放送をユーザに報知すべきと判断された場合に、電源状態が省電力状態から警報用電力状態に切り替えられ、緊急警報放送をユーザに報知すべきと判断されるまでは、デジタル放送用アンテナ１１、チューナ１２ａ、復調・復号部１３ａ、ＡＶデコーダ１４、表示部１５及びスピーカ２７には電力供給が行われないため、不要な電力消費を抑制することができる。この結果、移動受信装置の位置が移動する場合でも、電力を不要に消費することなく、ユーザが必要とする警告情報を的確にユーザに提示することができる。
【０１０３】
次に、本発明の第３の実施の形態による携帯電話について説明する。図６は、本発明の第３の実施の形態による携帯電話の構成を示すブロック図である。図６に示す携帯電話と図４に示す携帯電話とで異なる点は、位置情報記憶部２３、比較部２４ａ、警告判定部２５ａ及びスピーカ２７が携帯電話の現在位置と緊急警報放送の警報地域との位置関係に基づいてユーザに報知する警告内容を変化させるための位置情報記憶部２３ａ、比較部２４ｂ、警告判定部２５ｂ及びＬＥＤ（発光ダイオード）４１に変更された点であり、その他の点は図４に示す携帯電話と同様であるので詳細な説明を省略し、以下、異なる点を主に説明する。
【０１０４】
ＬＥＤ４１は、携帯電話の外表面の見やすい位置、例えば、外表面の中央部に設けられ、第１の警告レベルの警告動作として赤色の光を発光し、第１の警告レベルよりレベルの低い第２の警告レベルの警告動作として黄色の光を発光する。なお、警告レベルの異なる警告動作の数及び内容は、上記の例に特に限定されず、警報地域と現在位置との間の距離に応じて３種類以上の発光色を用いたり、発光部の数を変化させる等の種々の変更が可能であり、第１及び第２の実施の形態のように、音声の音量を変化させてもよい。
【０１０５】
位置情報受信部２２及び位置情報記憶部２３ａは、第２の実施の形態と同様に動作し、位置情報受信部２２は、ＧＰＳ用アンテナ２１を介してＧＰＳ用電波を受信して携帯電話の現在位置すなわちユーザの現在位置を検出し、現在位置を表す位置情報を位置情報記憶部２３ａへ出力し、位置情報記憶部２３ａは、位置情報を記憶する。
【０１０６】
比較部２４ｂは、位置情報記憶部２３ａから現在の位置情報を読み出し、携帯電話の現在位置と緊急警報放送通知に含まれる地域情報により特定される緊急警報放送の警報地域とを比較し、警報地域の中心位置又は外周位置の最も近い位置と現在位置との間の距離を算出し、算出した距離を警告判定部２５ｂへ出力するとともに、算出した距離を記録時刻とともに位置情報記憶部２３ａに記憶させる。
【０１０７】
警告判定部２５ｂは、警報情報抽出部３３から緊急警報放送情報を受けると、比較部２４ｂから出力された現在の距離が予め設定されている基準距離以内であるか否かを判定し、現在の距離が基準距離以内の場合に緊急警報放送による警告が必要であると判定し、現在の距離が基準距離を越えている場合は警告が不必要であると判定する。
【０１０８】
警告が必要である場合、警告判定部２５ｂは、位置情報記憶部２３ａに記憶されている所定時間前の過去の距離を読み出し、現在の距離と過去の距離とを比較して携帯電話すなわちユーザが警報地域に近づいているか否かを判定する。ユーザが近づいている場合、警告判定部２５ｂは、第１の警告レベルの警告動作を行うため、チューナ１２ａ、復調・復号部１３ａ、ＡＶデコーダ１４、表示部１５及びＬＥＤ４１へも電力を供給するように電源制御部１７ａに指示し、電力供給後、放送局識別情報により特定されるチャンネルを選択するようにチューナ１２ａへ指示し、復調・復号部１３ａ及びＡＶデコーダ１４を制御して緊急警報放送を表示部１５に表示させるとともに、ＬＥＤ４１を赤色で発光させる。
【０１０９】
一方、警告が必要であるが、ユーザが警報地域から遠ざかっている場合、警告判定部２５ｂは、第２の警告レベルの警告動作を行うため、チューナ１２ａ、復調・復号部１３ａ、ＬＥＤ４１へも電力を供給するように電源制御部１７ａに指示し、電力供給後、ＬＥＤ４１を黄色で発光させ、チューナ１２ａ及び復調・復号部１３ａによりＰＳＩ内の緊急情報記述子から「ｓｔａｒｔ＿ｅｎｄ＿ｆｌａｇ」を抽出して警告判定部２５ｂへ出力させるが、緊急警報放送は表示部１５に表示させない。なお、チューナ１２ａ及び復調・復号部１３ａを用いることなく、緊急警報放送の終了状態が検出できる場合は、チューナ１２ａ及び復調・復号部１３ａへの電力供給を停止してもよい。
【０１１０】
本実施の形態は、比較部２４ｂ及び警告判定部２５ｂが比較手段の一例に相当し、デジタル放送用アンテナ１１、チューナ１２ａ、復調・復号部１３ａ、ＡＶデコーダ１４、表示部１５及びＬＥＤ４１が警告手段の一例に相当し、ＬＥＤ４１が警告通知手段の一例に相当し、その他の点は、第２の実施の形態と同様である。
【０１１１】
次に、上記のように構成された携帯電話の緊急警報放送受信処理について詳細に説明する。図７は、図６に示す携帯電話による緊急警報放送受信処理を説明するためのフローチャートである。図７に示すステップＳ１１〜Ｓ１３、Ｓ１８の処理は、図５に示すステップＳ１１〜Ｓ１３、Ｓ１８の処理と同様であるので、詳細な説明を書略し、以下、異なる処理を主に説明する。
【０１１２】
図７に示すように、ステップＳ１１〜Ｓ１３の処理が終了した後、ステップＳ１４ａにおいて、比較部２４ｂは、位置情報記憶部２３ａから現在の位置情報を読み出し、携帯電話の現在位置と緊急警報放送通知に含まれる地域情報により特定される緊急警報放送の警報地域との間の距離を算出し、算出した距離を警告判定部２５ｂへ出力するとともに、算出した距離を記録時刻とともに位置情報記憶部２３ａに記憶させる。
【０１１３】
次に、ステップＳ１５ａにおいて、警告判定部２５ｂは、比較部２４ｂから出力された現在の距離が基準距離以内であるか否かを判定し、現在の距離が基準距離以内の場合に緊急警報放送による警告が必要であると判断して処理をステップＳ１５ｂへ移行し、現在の距離が基準距離を越えている場合は警告が不必要であると判断し、処理がステップＳ１８へ移行される。
【０１１４】
警告が必要であると判断された場合、ステップＳ１５ｂにおいて、警告判定部２５ｂは、位置情報記憶部２３ａに記憶されている過去の距離を読み出し、現在の距離と過去の距離とを比較してユーザが警報地域に近づいているか否かを判定し、ユーザが警報地域に近づいている場合に警告レベルが第１の警告レベルであると判断して処理をステップＳ１６ａへ移行し、ユーザが警報地域に近づいていない場合に警告レベルが第２の警告レベルであると判断して処理をステップＳ１６ｂへ移行する。
【０１１５】
第１の警告レベルであると判断された場合、ステップＳ１６ａにおいて、警告判定部２５ｂは、チューナ１２ａ、復調・復号部１３ａ、ＡＶデコーダ１４、表示部１５及びＬＥＤ４１へも電力を供給するように電源制御部１７ａに指示し、電源制御部１７ａは、チューナ１２ａ、復調・復号部１３ａ、ＡＶデコーダ１４、表示部１５及びＬＥＤ４１へも電力を供給するように内部電源１８を制御し、電源状態が省電力状態から第１の警告レベルの警告用電源状態へ切り替えられる。
【０１１６】
次に、ステップＳ１７ａにおいて、警告判定部２５ｂは、放送局識別情報により特定されるチャンネルを選択するようにチューナ１２ａへ指示し、復調・復号部１３ａ及びＡＶデコーダ１４により緊急警報放送を表示部１５に表示させるとともに、ＬＥＤ４１を赤色で発光させ、第１の警告レベルの警告動作が実行される。このとき、復調・復号部１３ａは、ＰＳＩ内の緊急情報記述子から「ｓｔａｒｔ＿ｅｎｄ＿ｆｌａｇ」を抽出して警告判定部２５ｂへ出力する。
【０１１７】
一方、第２の警告レベルであると判断された場合、ステップＳ１６ｂにおいて、警告判定部２５ｂは、チューナ１２ａ、復調・復号部１３ａ及びＬＥＤ４１へも電力を供給するように電源制御部１７ａに指示し、電源制御部１７ａは、チューナ１２ａ、復調・復号部１３ａ及びＬＥＤ４１へも電力を供給するように内部電源１８を制御し、電源状態が省電力状態から第２の警告レベルの警告用電源状態へ切り替えられる。
【０１１８】
次に、ステップＳ１７ｂにおいて、警告判定部２５ｂは、放送局識別情報により特定されるチャンネルを選択するようにチューナ１２ａへ指示し、復調・復号部１３ａから緊急情報記述子の「ｓｔａｒｔ＿ｅｎｄ＿ｆｌａｇ」を受け、ＬＥＤ４１を黄色で発光させ、第２の警告レベルの警告動作が実行される。以降、第２の実施の形態と同様にステップＳ１８の処理が実行される。
【０１１９】
上記の処理により、本実施の形態では、ＧＰＳ用アンテナ２１、位置情報受信部２２及び位置情報記憶部２３ａにより移動受信装置の現在の位置を表す位置情報が取得され、通信用アンテナ３１、受信部３２及び警報情報抽出部３３により緊急警報放送が関連する警報地域を特定する地域情報が緊急警報放送通知から取得され、比較部２４ｂにより位置情報と地域情報とが比較されて警報地域と携帯電話の位置との間の現在の距離が算出され、警告判定部２５ｂにより現在の距離が基準距離以内である場合、緊急警報放送をユーザに報知すべきであると判定される。
【０１２０】
このとき、警告判定部２５ｂにより位置情報記憶部２３ａに記憶されている過去の距離と現在の距離とが比較されて携帯電話すなわちユーザが警報地域に近づいているか否かが判定され、ユーザが警報地域に近づいていない場合、ＬＥＤ４１により第２の警告レベルの警告動作として黄色の警告光が表示されてユーザに報知され、一方、ユーザが警報地域に近づいている場合、デジタル放送用アンテナ１１、チューナ１２ａ、復調・復号部１３ａ、ＡＶデコーダ１４、表示部１５及びＬＥＤ４１により第１の警告レベルの警告動作として緊急警報放送による映像及び赤色の警告光が表示されてユーザに報知されるので、ユーザが警報地域に近づくほど警告レベルの高い警告情報を提供することができ、より確実に警告情報をユーザに了知させることができる。
【０１２１】
また、緊急警報放送をユーザに報知すべきと判断された場合に、電源状態が省電力状態から警報用電力状態に切り替えられ、緊急警報放送をユーザに報知すべきと判断されるまでは、デジタル放送用アンテナ１１、チューナ１２ａ、復調・復号部１３ａ、ＡＶデコーダ１４、表示部１５、警報レベル記憶部２６及びＬＥＤ４１には電力供給が行われないため、不要な電力消費を抑制することができる。この結果、移動受信装置の位置が移動する場合でも、電力を不要に消費することなく、ユーザが必要とする警告情報を的確にユーザに提示することができる。
【０１２２】
次に、本発明の第４の実施の形態による携帯電話について説明する。図８は、本発明の第４の実施の形態による携帯電話の構成を示すブロック図である。図８に示す携帯電話と図４に示す携帯電話とで異なる点は、警報情報抽出部３３及び警告判定部２５ａが第１の実施の形態と同様に携帯電話の現在位置と緊急警報放送の警報地域との位置関係だけでなく警報レベルに基づいてユーザに報知する警告内容を変化させるための警報情報抽出部３３ａ及び警告判定部２５ｃに変更されるとともに、警報レベル記憶部２６が付加された点であり、その他の点は図４に示す携帯電話と同様であるので詳細な説明を省略し、以下、異なる点を主に説明する。
【０１２３】
本実施の形態では、緊急警報放送情報、地域情報及び放送局識別情報に加えて、緊急警報放送の警報レベルを示す警報レベル情報が緊急警報放送通知に含まれている。警報レベル情報としては、例えば、「ｓｉｇｎａｌ＿ｌｅｖｅｌ」と同様の情報を用いることができ、「１」の場合、放送される緊急警報信号が第１種開始信号であることが示され、「０」の場合、放送される緊急警報信号が第２種開始信号であることが示される。
【０１２４】
警報情報抽出部３３ａは、通信用アンテナ３１及び受信部３２により受信された受信信号から緊急警報放送通知を検出し、緊急警報放送通知に含まれる地域情報を比較部２４ａへ出力し、緊急警報放送通知に含まれる緊急警報放送情報、放送局識別情報及び警報レベル情報を警告判定部２５ｃへ出力する。
【０１２５】
操作部２８は、第１の実施の形態と同様に、ユーザが入力した基準警報レベルを警報レベル記憶部２６に記憶させる。警告判定部２５ｃは、警報情報抽出部３３ａから緊急警報放送情報を受けると、警報レベル記憶部２６に記憶されている基準警報レベルを読み出し、警報レベル情報により特定される警報レベルが基準警報レベル以上であるか否かを判断し、警報レベルが基準警報レベル以上でない場合は、警告は不必要であると判定する。
【０１２６】
警報レベルが基準警報レベル以上である場合、警告判定部２５ｃは、比較部２４ａの比較結果を基に緊急警報放送による警告が必要であるか否かを判定し、携帯電話の現在位置が緊急警報放送の警報地域内にある場合は警告が必要であると判断し、電源状態を省電力状態から警告用電源状態へ切り替えるため、チューナ１２ａ、復調・復号部１３ａ、ＡＶデコーダ１４、表示部１５及びスピーカ２７へも電力を供給するように電源制御部１７ａに指示する。
【０１２７】
その後、警告判定部２５ｃは、放送局識別情報により特定されるチャンネルを選択するようにチューナ１２ａへ指示し、復調・復号部１３ａ及びＡＶデコーダ１４は、緊急警報放送を表示部１５に表示させるとともに、スピーカ２７は、警告音を発生させる。なお、警告動作は、上記の例に特に限定されず、種々の変更が可能である。
【０１２８】
本実施の形態は、通信用アンテナ３１、受信部３２及び警報情報抽出部３３ａの警報地域取得手段の一例に相当し、比較部２４ａ及び警告判定部２５ｃが比較手段の一例に相当し、警報レベル記憶部２６が警報レベル記憶手段の一例に相当し、その他の点は第２の実施の携帯と同様である。
【０１２９】
次に、上記のように構成された携帯電話の緊急警報放送受信処理について詳細に説明する。図９は、図８に示す携帯電話による緊急警報放送受信処理を説明するためのフローチャートである。図９に示すステップＳ１１、Ｓ１３、Ｓ１４、Ｓ１６〜Ｓ１８の処理は、図５に示すステップＳ１１、Ｓ１３、Ｓ１４、Ｓ１６〜Ｓ１８の処理と同様であるので、詳細な説明を書略し、以下、異なる処理を主に説明する。
【０１３０】
図９に示すように、ステップＳ１１の処理が終了した後、ステップＳ１２ａにおいて、警報情報抽出部３３ａは、通信用アンテナ３１及び受信部３２により受信された受信信号に緊急警報放送通知が含まれているか否かを判断し、緊急警報放送通知が含まれている場合は、緊急警報放送通知に含まれる地域情報を比較部２４ａへ出力し、緊急警報放送通知に含まれる緊急警報放送情報、放送局識別情報及び警報レベル情報を警告判定部２５ｃへ出力する。緊急警報放送通知が含まれていない場合は、ステップＳ１２ａの処理を繰り返す。
【０１３１】
次に、ステップＳ１３、Ｓ１４の処理が終了した後、ステップＳ１５ｃにおいて、警告判定部２５ｃは、警報レベル記憶部２６に記憶されている基準警報レベルを読み出し、警報レベル情報により特定される警報レベルが基準警報レベル以上であるか否かを判断し、警報レベルが基準警報レベル以上でない場合、又は、警報レベルが基準警報レベル以上で且つ携帯電話の現在位置が緊急警報放送の警報地域外にある場合、警告は不必要であると判断し、処理がステップＳ１８へ移行され、警報レベルが基準警報レベル以上で且つ携帯電話の現在位置が緊急警報放送の警報地域内にある場合は警告が必要であると判断し、処理がステップＳ１６へ移行され、以降の各処理は第２の実施の形態と同様である。
【０１３２】
上記の処理により、本実施の形態では、ＧＰＳ用アンテナ２１、位置情報受信部２２及び位置情報記憶部２３により移動受信装置の現在の位置を表す位置情報が取得され、通信用アンテナ３１、受信部３２及び警報情報抽出部３３により緊急警報放送が関連する警報地域を特定する地域情報が緊急警報放送通知から取得され、比較部２４ａにより位置情報と地域情報とが比較され、警告判定部２５ｃにより警報レベル記憶部２６に記憶されている基準警報レベルが読み出され、警報レベルが基準警報レベル以上で且つ携帯電話の現在位置が緊急警報放送の警報地域内にある場合に緊急警報放送をユーザに報知すべきであると判定され、デジタル放送用アンテナ１１、チューナ１２ａ、復調・復号部１３ａ、ＡＶデコーダ１４、表示部１５及びスピーカ２７により緊急警報放送による映像及び警告音がユーザに報知される。一方、警報レベルが基準警報レベル以上でない場合、又は、警報レベルが基準警報レベル以上で且つ携帯電話の現在位置が緊急警報放送の警報地域外にある場合は、警告情報がユーザに報知されず、不要な警告情報をユーザに提供することを防止することができる。
【０１３３】
また、緊急警報放送をユーザに報知すべきと判断された場合に、電源状態が省電力状態から警報用電力状態に切り替えられ、緊急警報放送をユーザに報知すべきと判断されるまでは、デジタル放送用アンテナ１１、チューナ１２ａ、復調・復号部１３ａ、ＡＶデコーダ１４、表示部１５及びスピーカ２７には電力供給が行われないため、不要な電力消費を抑制することができる。この結果、移動受信装置の位置が移動する場合でも、電力を不要に消費することなく、警報レベルに応じてユーザが必要とする警告情報を的確にユーザに提示することができる。
【０１３４】
次に、本発明の第５の実施の形態による携帯電話について説明する。図１０は、本発明の第５の実施の形態による携帯電話の構成を示すブロック図である。図１０に示す携帯電話と図４に示す携帯電話とで異なる点は、比較部２４及び警報情報抽出部３３が緊急警報放送情報だけでなく携帯電話の現在位置を表す位置情報をも取得するために比較部２４ｃ及び警報情報抽出部３３ｂに変更され、ＧＰＳ用アンテナ２１、位置情報受信部２２及び位置情報記憶部２３が省略された点であり、その他の点は図４に示す携帯電話と同様であるので詳細な説明を省略し、以下、異なる点を主に説明する。
【０１３５】
警報情報抽出部３３ｂは、第２の実施の形態と同様に、通信用アンテナ３１及び受信部３２を介して受信された受信信号から緊急警報放送通知を抽出し、緊急警報放送通知に含まれる地域情報を比較部２４ｃへ出力し、緊急警報放送通知に含まれる緊急警報放送情報及び放送局識別情報を警告判定部２５ａへ出力する。また、警報情報抽出部３３ｂは、通信用アンテナ３１及び受信部３２を介して受信された受信信号から携帯電話の現在位置を表す位置情報を抽出して比較部２４ｃへ出力する。この位置情報の取得方法としては、例えば、ＫＤＤＩ株式会社により提供される簡易位置情報サービスを用いることができる。なお、本実施の形態では、位置情報記憶部を省略しているが、過去の位置情報を参照する場合等においては位置情報記憶部を付加してもよい。
【０１３６】
比較部２４ｃは、警報情報抽出部３３ｂから地域情報を受けると、警報情報抽出部３３ｂに対して位置情報を取得するように指示し、警報情報抽出部３３ｂは、通信用アンテナ３１及び受信部３２を介して受信された受信信号から携帯電話の現在位置を表す位置情報を抽出して比較部２４ｃへ出力する。比較部２４ｃは、位置情報により特定される携帯電話の現在位置と緊急警報放送通知に含まれる地域情報により特定される緊急警報放送の警報地域とを比較して携帯電話の現在位置が緊急警報放送の警報地域内にあるか否かを判定し、判定結果を警告判定部２５ａに通知する。
【０１３７】
本実施の形態は、通信用アンテナ３１、受信部３２及び警報情報抽出部３３ｂが位置取得手段及び警報地域取得手段の一例に相当し、比較部２４ｃ及び警告判定部２５ａが比較手段の一例に相当し、その他の点は、第２の実施の形態と同様である。
【０１３８】
次に、上記のように構成された携帯電話の緊急警報放送受信処理について詳細に説明する。本実施の形態による緊急警報放送受信処理は、図５に示す緊急警報放送受信処理と処理の流れは同様であるので、図５を用いて説明する。
【０１３９】
まず、図５に示すステップＳ１１の処理が第２の実施の形態と同様に処理された後、ステップＳ１２において、警報情報抽出部３３ｂは、通信用アンテナ３１及び受信部３２により受信された受信信号に緊急警報放送通知が含まれているか否かを判断し、緊急警報放送通知が含まれている場合は、緊急警報放送通知に含まれる地域情報を比較部２４ｃへ出力し、緊急警報放送通知に含まれる緊急警報放送情報及び放送局識別情報を警告判定部２５ａへ出力する。緊急警報放送通知が含まれていない場合は、ステップＳ１２の処理を繰り返す。
【０１４０】
緊急警報放送通知が含まれている場合、ステップＳ１３において、比較部２４ｃは、警報情報抽出部３３ｂから地域情報を受けると、警報情報抽出部３３ｂに対して位置情報を取得するように指示し、警報情報抽出部３３ｂは、通信用アンテナ３１及び受信部３２を介して受信された受信信号から携帯電話の現在位置を表す位置情報を抽出して比較部２４ｃへ出力する。なお、現在位置の取得タイミングは、この例に特に限定されず、所定期間ごとに取得する等の種々の変更が可能である。
【０１４１】
次に、ステップＳ１４において、比較部２４ｃは、位置情報により特定される携帯電話の現在位置と緊急警報放送通知に含まれる地域情報により特定される緊急警報放送の警報地域とを比較して携帯電話の現在位置が緊急警報放送の警報地域内にあるか否かを判定し、判定結果を警告判定部２５ａに通知する。
【０１４２】
次に、ステップＳ１５において、警告判定部２５ａは、比較部２４ｃの比較結果を基に緊急警報放送による警告が必要であるか否かを判定し、携帯電話の現在位置が緊急警報放送の警報地域外にある場合は警告が不必要であると判断し、処理がステップＳ１８へ移行され、携帯電話の現在位置が緊急警報放送の警報地域内にある場合は警告が必要であると判断し、処理がステップＳ１６へ移行される。以降、第２の実施の形態と同様にステップＳ１６〜Ｓ１８の処理が実行される。
【０１４３】
上記の処理により、本実施の形態では、第２の実施の形態と同様の効果を得ることができるとともに、通信用アンテナ３１、受信部３２及び警報情報抽出部３３ｂにより緊急警報放送通知だけでなく、携帯電話の現在位置を表す位置情報をも取得することができるので、ＧＰＳ用アンテナ、位置情報受信部及び位置情報記憶部を省略することができ、装置の構成を簡略化することができるとともに、消費電力をより低減することができる。
【０１４４】
なお、上記の各実施の形態は、必要に応じて任意に組み合わせることができ、例えば、第１乃至第４実施の形態において、第５の実施の形態の通信用アンテナ３１、受信部３２及び警報情報抽出部３３ｂを用いて携帯電話の現在位置を表す位置情報をも取得し、ＧＰＳ用アンテナ２１、位置情報受信部２２及び位置情報記憶部２３を省略する等の種々の変更が可能である。
【産業上の利用可能性】
【０１４５】
本発明に係る移動受信装置は、移動受信装置の位置が移動する場合でも、電力を不要に消費することなく、ユーザが必要とする警告情報を的確にユーザに提示することができ、ユーザとともに使用場所が移動され得る移動受信装置等として有用である。
【図面の簡単な説明】
【０１４６】
【図１】本発明の第１の実施の形態による携帯電話の構成を示すブロック図である。
【図２】各警報レベルに対してユーザが設定可能な警告動作の一例を説明するための図である。
【図３】図１に示す携帯電話による緊急警報放送受信処理を説明するためのフローチャートである。
【図４】本発明の第２の実施の形態による携帯電話の構成を示すブロック図である。
【図５】図４に示す携帯電話による緊急警報放送受信処理を説明するためのフローチャートである。
【図６】本発明の第３の実施の形態による携帯電話の構成を示すブロック図である。
【図７】図６に示す携帯電話による緊急警報放送受信処理を説明するためのフローチャートである。
【図８】本発明の第４の実施の形態による携帯電話の構成を示すブロック図である。
【図９】図８に示す携帯電話による緊急警報放送受信処理を説明するためのフローチャートである。
【図１０】本発明の第５の実施の形態による携帯電話の構成を示すブロック図である。
【符号の説明】
【０１４７】
１１  デジタル放送用アンテナ
１２、１２ａ  チューナ
１３、１３ａ  復調・復号部
１４  ＡＶデコーダ
１５  表示部
１６  緊急警報放送検出部
１７、１７ａ  電源制御部
１８  内部電源
２１  ＧＰＳ用アンテナ
２２  位置情報受信部
２３、２３ａ  位置情報記憶部
２４、２４ａ、２４ｂ、２４ｃ  比較部
２５、２５ａ、２５ｂ、２５ｃ  警告判定部
２６  警報レベル記憶部
２７  スピーカ
２８  操作部
３１  通信用アンテナ
３２  受信部
３３、３３ａ、３３ｂ  警報情報抽出部
４１  ＬＥＤ
【図１】
0004713989.tif 000002
【図２】
0004713989.tif 000003
【図３】
0004713989.tif 000004
【図４】
0004713989.tif 000005
【図５】
0004713989.tif 000006
【図６】
0004713989.tif 000007
【図７】
0004713989.tif 000008
【図８】
0004713989.tif 000009
【図９】
0004713989.tif 000010
【図１０】
0004713989.tif 000011